(57)【要約】【課題】２種類以上の氷が均等に混じり合ったミックスシャーベットを作り得る氷削り器を提供する。【解決手段】氷掻き用の刃１２を取付けた円盤状取付部材１０を内部に有する円筒状ケーシング部１と、ケーシング部１の下部に着脱自在に取付けられる氷受け容器２と、ケーシング部１の上部に取付けられると共に鉛直軸心Ｌ１廻りに回転する回転軸６を上下方向にスライド自在に保持する上蓋部３とを、備え、回転軸６の下端６Ｂに固着される回転盤５と、ケーシング部１内に遊嵌されると共に回転盤５と一体に回転する上下両端開口状の氷収納用ドラム部材４とを、具備し、さらに、ドラム部材４は、ラジアル方向内向きに突出する複数の羽根１４，１４を内周面に有し、２種類以上の異なる氷ブロック体を収納可能な２つ以上の氷収納空間に区画形成されている。【選択図】図１
2013148290.tif 000002
【特許請求の範囲】
【請求項１】
氷掻き用の刃（１２）を取付けた円盤状取付部材（１０）を内部に有する円筒状ケーシング部（１）と、該ケーシング部（１）の下部に着脱自在に取付けられる氷受け容器（２）と、上記ケーシング部（１）の上部に取付けられると共に鉛直軸心（Ｌ１）廻りに回転する回転軸（６）を上下方向にスライド自在に保持する上蓋部（３）とを、備え、上記回転軸（６）の下端（６Ｂ）に固着される回転盤（５）と、上記ケーシング部（１）内に遊嵌されると共に上記回転盤（５）と一体に回転する上下両端開口状の氷収納用ドラム部材（４）とを、具備し、
さらに、上記ドラム部材（４）は、ラジアル方向内向きに突出する複数の羽根（１４）（１４）を内周面に有し、２種類以上の異なる氷ブロック体（Ｂ１）（Ｂ２）を収納可能な２つ以上の氷収納空間（Ｅ１）（Ｅ２）に区画形成されたことを特徴とする氷削り器。
【請求項２】
上記回転盤（５）は、上記羽根（１４）（１４）に対応して凹溝部（１５）（１５）が形成され、該羽根（１４）（１４）が上記凹溝部（１５）（１５）に係止して上記ドラム部材（４）と共廻りするように構成されている請求項１記載の氷削り器。
【請求項３】
上記円盤状取付部材（１０）は、複数枚の刃（１２）（１２）が、中心点から見て回転対称位置に配設されている請求項１又は２記載の氷削り器。
【請求項４】
２つ以上の氷収納空間（Ｅ１）（Ｅ２）に区画形成された氷収納用ドラム部材（４）を有する氷削り器（Ｚ）と、上記氷収納空間（Ｅ１）（Ｅ２）の形状に対応した２種類以上の氷ブロック体（Ｂ１）（Ｂ２）を形成する製氷用容器（３０）とを、具備したことを特徴とする氷削り器セット。
【発明の詳細な説明】
【技術分野】
【０００１】
本発明は、氷削り器及び氷削り器セットに関する。
【背景技術】
【０００２】
従来、ハンドルを手回しすることで氷を削る氷削り器が知られている（特許文献１参照）。
【先行技術文献】
【特許文献】
【０００３】
【特許文献１】実開平５−９４６７５号公報
【発明の概要】
【発明が解決しようとする課題】
【０００４】
しかし、従来の氷削り器は、氷を１種類ずつしか削ることができなかった。従って、２種類の異なる氷を削る場合には、１種類ずつ順番に容器に盛っていく必要があり、２種類の異なる氷が順次積層して斑になってしまい、味がうまく混じり合わないという欠点があった。
【０００５】
そこで、本発明は、２種類以上の氷が均等に混じり合ったミックスシャーベットを作り得る氷削り器を提供することを目的とする。
【課題を解決するための手段】
【０００６】
本発明に係る氷削り器は、氷掻き用の刃を取付けた円盤状取付部材を内部に有する円筒状ケーシング部と、該ケーシング部の下部に着脱自在に取付けられる氷受け容器と、上記ケーシング部の上部に取付けられると共に鉛直軸心廻りに回転する回転軸を上下方向にスライド自在に保持する上蓋部とを、備え、上記回転軸の下端に固着される回転盤と、上記ケーシング部内に遊嵌されると共に上記回転盤と一体に回転する上下両端開口状の氷収納用ドラム部材とを、具備し、さらに、上記ドラム部材は、ラジアル方向内向きに突出する複数の羽根を内周面に有し、２種類以上の異なる氷ブロック体を収納可能な２つ以上の氷収納空間に区画形成されたものである。
【０００７】
また、上記回転盤は、上記羽根に対応して凹溝部が形成され、該羽根が上記凹溝部に係止して上記ドラム部材と共廻りするように構成されているものである。
また、上記円盤状取付部材は、複数枚の刃が、中心点から見て回転対称位置に配設されているものである。
【０００８】
また、本発明に係る氷削り器セットは、２つ以上の氷収納空間に区画形成された氷収納用ドラム部材を有する氷削り器と、上記氷収納空間の形状に対応した２種類以上の氷ブロック体を形成する製氷用容器とを、具備したものである。
【発明の効果】
【０００９】
本発明の氷削り器によれば、２種類以上の異なる氷ブロック体を同時に削ることができ、均等に混じり合ったミックスシャーベットを作ることができる。２種類以上の氷を均等に混合して盛ることができ、例えば、イチゴとミルクを別々に凍らせてミックスシャーベットとする等して見た目も美しくできる。ドラム部材の羽根によって、氷ブロック体を確実に回転させることができる。
【００１０】
また、本発明に係る氷削り器セットによれば、２種類以上の異なる氷ブロック体を無駄なく削って、効率よくミックスシャーベットを作ることができる。
【図面の簡単な説明】
【００１１】
【図１】本発明の実施の一形態を示した断面正面図である。
【図２】本発明の氷削り器を示した分解図である。
【図３】要部拡大断面平面図である。
【図４】本発明の使用状態を示す説明用斜視図である。
【図５】製氷用容器を一部破断した正面図である。
【図６】製氷用容器を一部破断した側面図である。
【図７】本発明の他の実施形態を示した要部拡大断面平面図である。
【図８】製氷用容器の他の実施例を示した図であり、（Ａ）は蓋を除いた平面図であり、（Ｂ）は一部破断正面図である。
【図９】製氷用容器の別の実施例を示した図であり、（Ａ）は蓋を除いた平面図であり、（Ｂ）は一部破断正面図である。
【発明を実施するための形態】
【００１２】
以下、実施の形態を示す図面に基づき本発明を詳説する。
図１〜図４に示すように、本発明の氷削り器は、氷掻き用の刃１２を取付けた円盤状取付部材１０を内部に有する円筒状ケーシング部１と、ケーシング部１の下部に着脱自在に取付けられる氷受け容器２と、ケーシング部１の上部に取付けられると共に鉛直軸心Ｌ１廻りに回転する回転軸６を上下方向にスライド自在に保持する上蓋部３とを、備えている。また、回転軸６の下端６Ｂに固着される回転盤５と、ケーシング部１内に遊嵌されると共に回転盤５と一体に回転する上下両端開口状の氷収納用ドラム部材４とを、具備している。
【００１３】
円筒状ケーシング部１は、外周壁１Ａと内周壁１Ｂを有し、内周壁１Ｂの下端周縁部に円盤状取付部材１０が固着されている。円盤状取付部材１０は、複数枚の刃１２，１２が、中心点から見て回転対称位置に配設されている。図例では、円盤状取付部材１０は、中心点から見て１８０°回転対称位置の２箇所に、氷を落下させるためのスリット状開口部１１，１１が設けられ、氷掻き用の刃１２，１２は、スリット状開口部１１，１１の長手方向の一辺に沿って刃先が突出するように取付けられている。
円筒状ケーシング部１と氷受け容器２と上蓋部３を一体に連結した状態では、全体としてほぼ節目のない形状に形成されている。なお、氷受け容器２の底面に滑り止め２０を付設するも好ましい。
【００１４】
図４に示すように、ドラム部材４は、ラジアル方向内向きに突出する複数の羽根１４，１４を内周面に有し、２種類以上の異なる氷ブロック体Ｂ１，Ｂ２を収納可能な２つ以上の氷収納空間Ｅ１，Ｅ２に区画形成されている。
ドラム部材４は、円筒体４Ａの内周面に２つの羽根１４，１４が一体形成されている。また、円筒体４Ａの一端には、外鍔部４Ｂが形成されている。ドラム部材４は、円筒状ケーシング部１の内周壁１Ｂ内に遊嵌され、外鍔部４Ｂが内周壁１Ｂの上端周縁部に係止して保持されている。
図４に示す氷ブロック体Ｂ１，Ｂ２は、後述の製氷用容器３０にて形成されたものであって、ドラム部材４の氷収納空間Ｅ１，Ｅ２の形状に対応してカマボコ型（断面半円形状）に形成され、各氷収納空間Ｅ１，Ｅ２にスッポリと収まるように形成されている。なお、ドラム部材４は、氷収納空間Ｅ１，Ｅ２にキューブ状の氷を収納することもでき、羽根１４，１４の内端縁に突出片を延設するも望ましい（図示省略）。
【００１５】
回転盤５は、羽根１４，１４に対応して凹溝部１５，１５が形成され、羽根１４，１４が凹溝部１５，１５に係止してドラム部材４と共廻りするように構成されている。
回転盤５は、略円盤状に形成され、外周端縁からラジアル方向内向きに凹溝部１５，１５が凹設されている。回転盤５は、回転軸６の下端６Ｂにビス１３で固着され、回転軸６と一体に昇降し、かつ、ドラム部材４内で上下方向にスライド自在である。回転盤５は、羽根１４，１４が凹溝部１５，１５に挿入されて昇降ガイドされている。つまり、羽根１４，１４は、ドラム部材４と回転盤５の共廻り用と、回転盤５の昇降ガイド用とに、兼用されている。
【００１６】
回転軸６は、その上端６Ａに、手回し用のハンドルアーム部材７を嵌着している。ハンドルアーム部材７は、先端７Ａに突設した枢着軸部１７に、グリップ部材８を枢着し、グリップ部材８の上方からピン９にて抜止めされている。
また、回転軸６は、（円筒状ケーシング部１及び上蓋部３の内部にて）コイルバネから成る弾発部材１８が取着されている。弾発部材１８は、回転盤５を円盤状取付部材１０に押し付ける方向に弾発付勢している。上蓋部３と弾発部材１８との間には、スリーブ１９が介装されている。
【００１７】
図１〜図６に示すように、本発明は、氷削り器Ｚと製氷用容器３０から成る氷削り器セットとして構成されている。本発明の氷削り器セットは、２つ以上の氷収納空間Ｅ１，Ｅ２に区画形成された氷収納用ドラム部材４を有する氷削り器Ｚと、氷収納空間Ｅ１，Ｅ２の形状に対応した２種類以上の氷ブロック体Ｂ１，Ｂ２を形成する製氷用容器３０とを、具備している。
図５と図６では、製氷用容器３０は、樹脂製であって、平面視長方形状の受け皿３１と、受け皿３１に嵌め込み自在の蓋３２から成る。受け皿３１は、長手方向中央部に設けられた区画壁３３にて相互に区画形成された２つの氷成形用凹窪部Ｃ１，Ｃ２を有している。氷成形用凹窪部Ｃ１，Ｃ２は、区画壁３３と受け皿３１の側壁部３１Ａ、及び、断面半円弧状に弯曲した底壁部３１Ｂによって形成されている。蓋３２は、受け皿３１の開口周端縁に嵌着して氷成形用凹窪部Ｃ１，Ｃ２を施蓋できるように構成されている。つまり、製氷用容器３０の氷成形用凹窪部Ｃ１，Ｃ２に水や果汁等を入れて、（蓋３２を被せて）冷凍庫で冷やせば、上述の氷収納空間Ｅ１，Ｅ２の形状に対応した（カマボコ型の）氷ブロック体Ｂ１，Ｂ２（図４参照）を形成できるのである。
【００１８】
次に、本発明の他の実施形態について説明する。
図７に示すように、ドラム部材４０は、ラジアル方向内向きに突出する３つの羽根１４，１４，１４を内周面に有し、３種類の異なる氷ブロック体を収納可能な３つの氷収納空間Ｅ１，Ｅ２，Ｅ３に区画形成されている。
回転盤５０は、中心角６０°毎に等ピッチで６つの凹溝部１５…が配設されている。回転盤５０は、３つの羽根１４，１４，１４が６つの凹溝部１５…に１つ飛ばしで係止可能であり、ドラム部材４０と共廻りするように構成されている。なお、回転盤５０は、２つの羽根１４，１４を有する上述のドラム部材４にも対応可能であり、共用できるように設計されている。
【００１９】
また、図８に示すように、製氷用容器３０は、３つの氷収納空間Ｅ１，Ｅ２，Ｅ３に対応して、３つの氷成形用凹窪部Ｃ１，Ｃ２，Ｃ３を有するものが好ましい。
そこで、製氷用容器３０は、平面視丸型の受け皿３５を有しているものであって、受け皿３５はＹ字状に設けられた区画壁３６にて３つの氷成形用凹窪部Ｃ１，Ｃ２，Ｃ３に区画形成されている。なお、蓋３２´は、受け皿３５に対応して丸型に形成されている。この受け皿３５によれば、ドラム部材４０の３つの氷収納空間Ｅ１，Ｅ２，Ｅ３にスッポリと収まるような断面扇形状の氷ブロック体が形成可能である。
【００２０】
上述した本発明の氷削り器の使用方法（作用）について説明する。
図４に示すように、ドラム部材４を外部に取り出し、予め製氷用容器３０にて作っておいた２種類の異なる氷ブロック体Ｂ１，Ｂ２を、氷収納空間Ｅ１，Ｅ２に嵌め込む。次に、ドラム部材４を円盤状取付部材１０の上に設置し、回転盤５を氷ブロック体Ｂ１，Ｂ２に押圧しつつドラム部材４と共廻りさせる。氷ブロック体Ｂ１，Ｂ２は、氷掻き用の刃１２，１２によって同時に削られて、氷受け容器２に盛り上げられる。この際、盛られた氷は、２種類が均等に混ざり合って、味に偏りがなく、見た目も美しい。
【００２１】
このように、本発明の氷削り器は、２種類以上の異なる氷ブロック体Ｂ１，Ｂ２を均等に削ることができ、ミックスシャーベットを作るのに好適である。例えば、イチゴを凍らせた氷ブロック体Ｂ１と牛乳又は練乳等を凍らせた氷ブロック体Ｂ２とを混ぜ合わせれば、イチゴミルク味のミックスシャーベットを作ることができる。他の例としては、コーヒーを凍らせた氷ブロック体Ｂ１と牛乳を凍らせた氷ブロック体Ｂ２とを混ぜ合わせれば、カフェオレ味のミックスシャーベットを作ることができる。その他、オレンジやマンゴー等の果実とその果汁を組み合わせたり、３種類又はそれ以上の氷ブロック体を組み合わせたりして、多種多様なミックスシャーベットを作ることができる。
【００２２】
なお、本発明は、設計変更可能であって、例えば、図９に示すように、製氷用容器３０は、平面視丸型で、かつ、２つの氷成形用凹窪部Ｃ１，Ｃ２を有する受け皿３７を有しているものであって良い。受け皿３７は、図４に示すようなドラム部材４の２つの氷収納空間Ｅ１，Ｅ２の形状に対応した（カマボコ型の）氷ブロック体Ｂ１，Ｂ２を形成できる。
【００２３】
以上のように、本発明に係る氷削り器は、氷掻き用の刃１２を取付けた円盤状取付部材１０を内部に有する円筒状ケーシング部１と、ケーシング部１の下部に着脱自在に取付けられる氷受け容器２と、ケーシング部１の上部に取付けられると共に鉛直軸心Ｌ１廻りに回転する回転軸６を上下方向にスライド自在に保持する上蓋部３とを、備え、回転軸６の下端６Ｂに固着される回転盤５と、ケーシング部１内に遊嵌されると共に回転盤５と一体に回転する上下両端開口状の氷収納用ドラム部材４とを、具備し、さらに、ドラム部材４は、ラジアル方向内向きに突出する複数の羽根１４，１４を内周面に有し、２種類以上の異なる氷ブロック体Ｂ１，Ｂ２を収納可能な２つ以上の氷収納空間Ｅ１，Ｅ２に区画形成されたので、２種類以上の異なる氷ブロック体Ｂ１，Ｂ２を同時に削ることができ、均等に混じり合ったミックスシャーベットを作ることができる。２種類以上の氷を均等に混合して盛ることができ、見た目も美しくできる。ドラム部材４の羽根１４，１４によって、氷ブロック体Ｂ１，Ｂ２を確実に回転させることができる。
【００２４】
また、回転盤５は、羽根１４，１４に対応して凹溝部１５，１５が形成され、羽根１４，１４が凹溝部１５，１５に係止してドラム部材４と共廻りするように構成されているので、羽根１４，１４が、共廻り用と昇降ガイド用とに兼用できる。
【００２５】
また、円盤状取付部材１０は、複数枚の刃１２，１２が、中心点から見て回転対称位置に配設されているので、２種類以上の氷を均等に削ることができ、見た目を美しく混合して盛ることができる。
【００２６】
また、本発明に係る氷削り器セットは、２つ以上の氷収納空間Ｅ１，Ｅ２に区画形成された氷収納用ドラム部材４を有する氷削り器Ｚと、氷収納空間Ｅ１，Ｅ２の形状に対応した２種類以上の氷ブロック体Ｂ１，Ｂ２を形成する製氷用容器３０とを、具備したので、２種類以上の異なる氷ブロック体Ｂ１，Ｂ２を無駄なく削って、効率よくミックスシャーベットを作ることができる。
【符号の説明】
【００２７】
１  円筒状ケーシング部
２  氷受け容器
３  上蓋部
４  ドラム部材
５  回転盤
６  回転軸
６Ｂ  下端
１０  円盤状取付部材
１２  刃
１４  羽根
１５  凹溝部
３０  製氷用容器
Ｌ１  鉛直軸心
Ｂ１，Ｂ２  氷ブロック体
Ｅ１，Ｅ２  氷収納空間
Ｚ  氷削り器
【図１】
2013148290.tif 000003
【図２】
2013148290.tif 000004
【図３】
2013148290.tif 000005
【図４】
2013148290.tif 000006
【図５】
2013148290.tif 000007
【図６】
2013148290.tif 000008
【図７】
2013148290.tif 000009
【図８】
2013148290.tif 000010
【図９】
2013148290.tif 000011